(57)【要約】【課題】顧客が所持する携帯端末を活用して購入金額等に応じたサービスを行うためのシステムであって、悪意の者による不正が困難であるものを提供すること。【解決手段】近距離無線通信機１とタッチパネル２２を備えた携帯機器２上で動作するプログラム２１とを備える電子印鑑システムであって、近距離無線通信機１は同定情報を送信し固有の形状の導電部分を有するものであり、プログラム２１は同定情報を受信している時にタッチパネル２２に導電部分の形状による接触があった場合にのみ承認処理を実行することを特徴とするものを提供する。【選択図】図１
2015207837.tif 000002
【特許請求の範囲】
【請求項１】
近距離無線通信機と、タッチパネルを備えた携帯機器上で動作するプログラムとを備える電子印鑑システムであって、
前記近距離無線通信機は、該近距離無線通信機を同定する同定情報を送信し、導電部分を有するものであり、
前記プログラムは、前記同定情報を受信している時に前記タッチパネルに前記導電部分による接触があった場合にのみ承認処理を実行することを特徴とする、電子印鑑システム。
【請求項２】
前記プログラムは、前記同定情報と前記導電部分の形状との対応を表すデータを参照し、前記同定情報を受信している時に前記タッチパネルに該同定情報に対応する前記導電部分による接触があった場合にのみ承認処理を実行することを特徴とする、請求項１に記載の電子印鑑システム。
【請求項３】
前記導電部分の形状は、互いに分離した少なくとも３点が前記タッチパネルに接触するものであることを特徴とする、請求項１又は２に記載の電子印鑑システム。
【請求項４】
前記近距離無線通信機は、前記同定情報の送信をオン／オフするスイッチを備え、
前記スイッチは前記導電部分を前記近距離無線装置に向けて押すことでオンとなることを特徴とする、請求項１〜３のいずれか１項に記載の電子印鑑システム。
【請求項５】
前記プログラムは、前記同定情報の受信を開始した時に前記タッチパネルに前記導電部分の形状による接触があった場合にのみ承認処理を実行することを特徴とする、請求項４に記載の電子印鑑システム。
【請求項６】
前記プログラムは、前記携帯機器の位置を取得する位置取得手段を備え、前記位置と前記同定情報との対応を表すデータを参照し、該位置に対応する前記同定情報の受信があった場合にのみ承認処理を実行することを特徴とする、請求項１〜５のいずれか１項に記載の電子印鑑システム。
【発明の詳細な説明】
【技術分野】
【０００１】
本発明は、携帯機器を用いた電子印鑑システムに関する。
【背景技術】
【０００２】
商店街、飲食店、美容室等においては、顧客にカードを貸与し、購入金額に応じたカードのスタンプを押印し、押印されたスタンプの数によって商品提供、値引き等のサービスを実施するスタンプカードが用いられている。
【０００３】
スタンプカードに替えて顧客が所持する携帯端末を活用することも行われている。
【０００４】
顧客が所持する携帯端末を活用するものとしては、ＧＰＳ等の測位システムや近距離無線通信機を活用して、顧客の来店頻度を管理したり、来店した顧客に情報を提供したりすることも行われている。ＧＰＳは精度が不十分であり、垂直方向の情報がない（例えば同じビルの１階の店舗と２階の店舗の峻別ができない）ため、近距離無線通信機を用いることが提案されている。
【０００５】
例えば特許文献１には、無線送信機が発する２種類のデジタル信号をアナログ変換し、人間の可聴領域に隣接する可聴域外の超音波として発振し、スマート端末のマイク機能を利用し受信した超音波をデジタル情報に復元する事で、ユーザへ情報提供をおこなう管理システムが開示されている。また、特許文献２にはＧＰＳと近距離無線通信機を併用して顧客の所在位置を正確に把握するシステムが開示されている。
【０００６】
しかし、特許文献１及び２に開示のシステムは、購入金額等に応じて一定の割合の電子スタンプ（或いは電子ポイント）を顧客に与えるためには、購入・支払いの際に携帯端末（顧客）を同定する必要がある。かかるシステムは高価なものである。購入金額に応じたサービスが困難なものであった。
【０００７】
以上のとおり、顧客が所持する携帯端末を活用して購入金額に応じたサービスを行うためのシステムであって、悪意の者による不正が困難であるものは知られていなかった。
【先行技術文献】
【特許文献】
【０００８】
【特許文献１】特開２０１３−１４１０５４号公報
【特許文献２】特開２０１４−０２７４３５号公報
【発明の概要】
【発明が解決しようとする課題】
【０００９】
本発明は、顧客が所持する携帯端末を活用して購入金額に応じたサービスを行うためのシステムであって、悪意の者による不正が困難であるものを提供することを課題とする。
【課題を解決するための手段】
【００１０】
本発明の電子印鑑システムは、
近距離無線通信機と、タッチパネルを備えた携帯機器上で動作するプログラムとを備える電子印鑑システムであって、
前記近距離無線通信機は、該近距離無線通信機を同定する同定情報を送信し、導電部分を有するものであり、
前記プログラムは、前記同定情報を受信している時に前記タッチパネルに前記導電部分による接触があった場合にのみ承認処理を実行することを特徴とする。
【００１１】
近距離無線通信機が、ＩＤのみならず「導電部分の形状」によって同定される。近距離無線通信機の各々に異なった形状を持たせることができる。悪意の者が信号を傍受しても導電部分の形状が不明であり不正を行うことができない。
また、近距離無線通信機を携帯機器に接触させるため、無線電波が壁や家具等によって遮断されてしまう問題や、携帯機器による読取精度（例えばiBeaconを使用する場合の距離情報の読取精度）の問題が解消される。
【００１２】
ここで、「承認処理」とは、近距離無線通信機を所有する者の承認（同意）があったことに関する処理であり、店舗の同意によるスタンプ、ポイント、チケット、クーポン等の付与が代表的なものであるが、物品受領確認、書類内容の確認等を含む。換言すれば、本発明の近距離無線通信機は実質的に印鑑として機能し、印鑑を押したことに関する処理全般を「承認処理」とすることができる。
【００１３】
本発明の電子印鑑システムは、
前記プログラムは、前記同定情報と前記導電部分の形状との対応を表すデータを参照し、前記同定情報を受信している時に前記タッチパネルに該同定情報に対応する前記導電部分による接触があった場合にのみ承認処理を実行することを特徴とすることができる。
【００１４】
この特徴を有する場合には、同定情報と導電部分の形状とによる二重のチェックが可能である。
【００１５】
本発明の電子印鑑システムは、
前記導電部分の形状は、互いに分離した少なくとも３点が前記タッチパネルに接触するものであることを特徴とすることができる。
【００１６】
この特徴を有する場合には、導電部分の形状が偽造困難なものとなる。
【００１７】
本発明の電子印鑑システムは、
前記近距離無線通信機は、前記同定情報の送信をオン／オフするスイッチを備え、
前記スイッチは前記導電部分を前記近距離無線機に向けて押すことでオンとなることを特徴とすることができる。
【００１８】
この特徴を有する場合には、導電部分をタッチパネルに押し当てている時にのみスイッチがオンとなる。近距離無線装置の出力を小さくすることができる。悪意の者が店舗において信号を傍受することが困難になり、また電力消費が小さくなる。
【００１９】
本発明の電子印鑑システムは、
前記プログラムは、前記同定情報の受信を開始した時に前記タッチパネルに前記導電部分の形状による接触があった場合にのみ承認処理を実行することを特徴とすることができる。
【００２０】
この特徴を有する場合には、上記スイッチを備えた近距離無線通信機を用いると、タッチパネルに接触した後でスイッチがオンになる。これを活用して不正を防止する。
【００２１】
本発明の電子印鑑システムは、
前記プログラムは、前記携帯機器の位置を取得する位置取得手段を備え、前記位置と前記同定情報との対応を表すデータを参照し、該位置に対応する前記同定情報の受信があった場合にのみ承認処理を実行することを特徴とすることができる。
【００２２】
この特徴を有する場合には、例えばＧＰＳを利用して位置を取得する。店舗以外の箇所における不正を防止する。
【発明の効果】
【００２３】
本発明の電子印鑑システムによれば、顧客が所持する携帯端末を活用して購入金額に応じたサービスを行うためのシステムであって、悪意の者による不正が困難であるものを提供することが可能となる。
【図面の簡単な説明】
【００２４】
【図１】図１は、電子印鑑システムの構成を示す図である。
【図２】図２は、データの例を示す図である。
【図３】図３は、近距離無線通信機と携帯端末の接触状態を示す図である。
【図４】図４は、押印面を示す図である。
【図５】図５は、プログラムの処理の例を示す図である。
【図６】図６は、プログラムの表示する画面の例を示す図である。
【発明を実施するための形態】
【００２５】
以下、本発明の一実施例を説明する。
【００２６】
図１は、電子印鑑システムの構成を示す図である。電子印鑑システムは、近距離無線通信機１及び携帯端末２を使用して動作する。近距離無線通信機１は、電子印鑑（例えば電子スタンプ）によって顧客にサービスをする商店、飲食店、美容室等（以下「商店等」と言う。）に備えられている。携帯端末２は、顧客の所有する携帯端末である。
【００２７】
近距離無線通信機１は、通信相手の端末との事前ペアリングを行わずに通信を行うことのできるものである。本実施例においてはＢＬＥモジュールを含むものとするが、ＢＬＥモジュールに限定されない。近距離無線通信機１は、ＢＬＥモジュール１１、スイッチ１２、導電性カバー１３及び押印面１４を備えている。
【００２８】
押印面１４がタッチパネルに接触する等によって図の下方から押されると、スイッチ１２が操作されてオンになる。
押印面１4は導電性カバー１３と電気的に導通しており、使用者が導電性カバーを把持して押印面をタッチパネルに接触させると、押印面の接触が検知される。同時にＢＬＥモジュール１１から電波４が送信される。
なお、導電性カバー１３は、必ずしも「カバー」である必要はなく、押印面１４と電気的に導通した部材が使用者によって把持できる箇所にあればよい。
【００２９】
携帯端末２は、タブレットコンピュータ、スマートホン等である。本実施例ではスマートホンであるとして説明する。タブレット端末等でも同様であり、スマートホンに限定されない。携帯端末２は、プログラム２１及びタッチパネル２２を備えている。
【００３０】
電子印鑑システムは、更に、データライブラリ３を備えている。データライブラリ３には、タッチパターンデータ３１、ＵＵＩＤデータ３２及びＧＰＳデータ３３が含まれる。
【００３１】
データライブラリ３は、プログラム２１によって参照されるデータであり、携帯機器２内に保存されている。しかし、本実施例においてデータライブラリを使用する目的は、タッチパターン、ＵＵＩＤ及びＧＰＳの値が同一の店舗のものであるか否かを検定することである。これは、他の形態でも実現できる。例えば、データライブラリ３をサーバに配置氏の、プログラム２１からタッチパターン、ＵＵＩＤ及びＧＰＳの値をサーバに送信し、サーバ上で動作するライブラリプログラムが同一の店舗のものであるか否かを検定することも可能である。その他、目的が達成できるならばいかなる形態でもよい。
【００３２】
図２は、データの例を示す図である。例えば（Ａ）に示すように、タッチパターン、ＵＵＩＤ及びＧＰＳの値のそれぞれと店舗の対応を保持する。プログラム２１はタッチパターン、ＵＵＩＤ及びＧＰＳの値がどの店舗のものであるかを求め、全てが同じ店舗のものであるか否かを検定することができる。このためには、（Ｂ）に示すように店舗毎にデータを整理してもよい。
【００３３】
図３は、近距離無線通信機と携帯端末の接触状態を示す図である。押印面１４がタッチパネル２２に接触する。
【００３４】
図４は、押印面を示す図である。押印面１４は、（Ａ）に示すようにタッチパネル２２に接触する突起１４ａを有することができる。この場合、押印面１４全体が導電性カバー１３と導通していても、突起のみがタッチパネル２２に接触し、突起の位置によってタッチパターンが定まる。
【００３５】
押印面１４は、（Ｂ）に示すように突起を有さずに導電部１４ｂを設け、導電部１４ｂのみが導電性カバー１３と導通しているようにすることもできる。導通線は例えば押印面の裏側に設ければよい。押印面の外観によってはタッチパターンがわからないようにすることも可能であり、不正防止に役立つ。
【００３６】
図５は、プログラムの処理の例を示す図である。プログラム２１は、ＢＬＥモジュールから電波を受信しそこに含まれるＵＵＩＤを読み取る機能、タッチパネルにおける接触を検出する機能、接触されたタッチパターンを認識する機能を有している。プログラム２１はこれらの機能を用いて、スタンプの付与等の要求された処理を実行するか否かを決定する。
【００３７】
プログラム２１は、電波を受信すると、画面接触があるか否かを判定する。この際、電波受信後の画面接触を待ってもよいが、本実施例においては近距離無線通信機１が電波発信の前に画面接触を行うので待つ必要はない。待たないことで、不正な近距離無線通信機を排除することができる。
【００３８】
その後、プログラム２１は、認識されたタッチパターン、受信されたＵＵＩＤ及び取得されたＧＰＳが同一の店舗のものであるか否かを判定する。これら３つの情報は任意の順番に処理してよい。最初に処理された情報によって店舗を定め、他の２つの情報が同一の店舗のものであるか否かを検定すればよい。３つの情報が同一の店舗のものであれば、プログラム２１は、スタンプの付与等の要求された処理を実行する。
【００３９】
図６は、プログラムの表示する画面の例を示す図である。プログラム２１は、図５に示した処理実行可否判断のほかに、ユーザインタフェイスとしての画面表示等を行うアプリケーションとして動作する。かかるアプリケーションは処理実行可否判断をサブルーチンとして任意に設計可能である。以下に一例を示す。
【００４０】
（Ａ）にスタンプ付与のアプリケーションが表示する画面の例を示す。アプリケーション画面５は、認識領域５１及びスタンプ表示エリア５２を有する。顧客が所持する携帯端末２においてアプリケーションが動作し、店員が所持する近距離無線通信機１を認識領域５１に接触させることでスタンプ付与が「可」と判断され、スタンプ表示エリア５２にスタンプが追加表示される。なお、店員が所持する近距離無線通信機１をスタンプ表示エリア５２に接触させる構成とすることも可能である。
【００４１】
（Ｂ）にスタンプ特典贈呈アプリケーションが表示する画面の例を示す。アプリケーション画面５は、認識領域５１及び特典内容表示エリア５３を有する。特典を受けられるだけのスタンプを蓄えた顧客の携帯端末２において、例えばスタンプ数に応じて特典贈呈アプリケーションを起動させられるようにすることができる。顧客が所持する携帯端末２においてアプリケーションが動作し、店員が所持する近距離無線通信機１を認識領域５１に接触させることで特典贈呈が「可」とされ、顧客に付与されたスタンプ数が減じられる。店員は顧客に特典を贈呈する。
【００４２】
以上詳細に説明したように、本発明の電子印鑑システムによれば不正が防止され、かつ、顧客への便益提供が容易となる。
【００４３】
なお、本実施例は、紙に押印されるスタンプを模倣したものであるが、スタンプ以外のもの、例えばポイント、チケット、クーポン等についても、画面表示の細部の変更で対応可能である。
【００４４】
また、本実施例においては、タッチパターンに基づいて店舗を確定させているが、ＵＵＩＤやＧＰＳに基づいて店舗を確定させてもよい。その場合には、タッチパターンの認識を行わずに、ＵＵＩＤ及びＧＰＳによって処理することもできる。
【産業上の利用可能性】
【００４５】
顧客が所持する携帯端末を活用して購入金額等に応じたサービスを行うためのシステムであって、悪意の者による不正が困難であるものであり、商店及び商店街による利用が期待される。
【符号の説明】
【００４６】
１    近距離無線通信機
１１  ＢＬＥモジュール
１２  スイッチ
１３  導電性カバー
１４  押印面
２    携帯端末（スマートホン）
２１  プログラム
２２  タッチパネル
３    データライブラリ
３１  タッチパターンデータ
３２  ＵＵＩＤデータ
３３  ＧＰＳデータ
４    電波
５    アプリケーション画面
５１  認識領域
５２  スタンプ表示エリア
５３  特典内容表示エリア
【図１】
2015207837.tif 000003
【図２】
2015207837.tif 000004
【図３】
2015207837.tif 000005
【図４】
2015207837.tif 000006
【図５】
2015207837.tif 000007
【図６】
2015207837.tif 000008